(57)【特許請求の範囲】
【請求項１】
差し渡されるガードパイプ（２）を保持固定してバリケードを構築するスタンドであって、
樹脂材からなる偏平なスタンド本体（６）と、
スタンド本体（６）に固定され、ガードパイプ（２）を保持するクランプ（７）と、
スタンド本体（６）にクランプ（７）を締結固定する、取付ボルト（８）およびナット体（９）と、
スタンド本体（６）の外面に着脱自在に装着される押え枠（１０）と、
を備え、
スタンド本体（６）は、クランプ（７）を受止めるクランプ座（１５）と、スタンド本体（６）の厚み方向に貫通状、あるいは凹み状に形成されて、ナット体（９）が着脱自在に装着される断面矩形孔状のナット装着孔（１８）と、クランプ座（１５）からナット装着孔（１８）にわたって形成されて、取付ボルト（８）をナット装着孔（１８）に装着されたナット体（９）に螺合させるためのボルト挿通孔（２３）と、を備えており、
押え枠（１０）は、スタンド本体（６）の表裏面にそれぞれ密着する一対のカバー壁（３３）を含み、ナット装着孔（１８）に装着されたナット体（９）が、カバー壁（３３）で抜止め保持されるとともに、ナット装着孔（１８）の側壁（２１・２２）で回転不能に姿勢保持されるように構成されていることを特徴とするバリケードのスタンド。
【請求項２】
ナット体（９）は、雌ねじ孔（２６）を有するナット部材（２７）と、ナット部材（２７）の上部に一体に設けられる帯板状の水平壁からなる座金板（２８）とを備えており、
スタンド本体（６）の厚み方向における座金板（２８）の長さ寸法が、ナット装着孔（１８）の孔深さ寸法と同じが、それより僅かに小さく設定されている請求項１に記載のバリケードのスタンド。
【請求項３】
座金板（２８）の対向辺部に、スタンド本体（６）の厚み方向に沿う一対の補強板（２９）が、座金板（２８）の対向辺部の各々から下向きに連設されている請求項２に記載のバリケードのスタンド。
【請求項４】
押え枠（１０）は、一対のカバー壁（３３）と、両カバー壁（３３）の上端どうしを連結する、水平壁からなるベース壁（３４）とを備えており、
スタンド本体（６）にクランプ（７）が締結固定された状態において、ベース壁（３４）がクランプ（７）とクランプ座（１５）とで挟持されている請求項１から３のいずれかひとつに記載のバリケードのスタンド。
【請求項５】
カバー壁（３３）と正対するスタンド本体（６）の表裏面に、カバー壁（３３）の厚み寸法以上の深さの逃げ凹部（３８）が凹み形成されている請求項１から４のいずれかひとつに記載のバリケードのスタンド。
【発明の詳細な説明】
【技術分野】
【０００１】
本発明は、差し渡されるガードパイプを保持固定してバリケードを構築するスタンドに関し、なかでもスタンドを構成するスタンド本体が樹脂材で形成されているスタンドに関する。
【背景技術】
【０００２】
この種のバリケードのスタンドは、例えば本出願人に係る特許文献１に公知である。特許文献１のスタンドは、樹脂材からなるスタンド本体と、ガードパイプ（パイプ）を保持するクランプと、スタンド本体にクランプを締結固定する取付ボルト（ボルト）およびナット体（ナット部材）からなる締結構造とで構成されている。スタンド本体はブロー成形で製造され、その製造過程において金属製のナット体が、スタンド本体の内部に埋設固定される。埋設固定されたナット体は、その定着部にスタンド本体の一部が絡みついて回転不能とされている。
【０００３】
取付ボルトおよびナット体からなる締結構造を備えるスタンドは、特許文献２にも見ることができる。特許文献２のスタンド（バリケード支持脚）では、クランプはスタンド本体（プラスチック枠）に、一対の取付ボルト（ボルト部材）とナット体（ナット部材）からなる締結構造（止着具）を備える取付治具で締結固定されている。取付治具はスタンド本体とは別体で構成されており、クランプは、取付ボルトとナット体とでスタンド本体のビーム部を上下から締付けることでスタンド本体に締結固定される。
【先行技術文献】
【特許文献】
【０００４】
【特許文献１】特開２００８−３１６４７号公報
【特許文献２】特開２００５−２２６２２８号公報
【発明の概要】
【発明が解決しようとする課題】
【０００５】
特許文献１のスタンドでは、ナット部材はスタンド本体に対して回転不能であるので、取付ボルトの緩め操作、あるいは締め操作時にナット部材が共回りすることなく、素早くかつ容易に取付ボルトの締緩操作を行うことができる。スタンドが経年劣化や破損により廃棄されるとき、スタンド本体は再生用の樹脂材としてリサイクルされるが、特許文献１のスタンドは、金属製のナット部材が樹脂製のスタンド本体内部に埋設固定され、さらに定着部にスタンド本体の一部が絡みついている。そのため、スタンド本体を高度に破壊しなければ樹脂材と金属材とを分別することができない。その点特許文献２のスタンドでは、取付治具はスタンド本体とは別体で構成されているので、スタンドを廃棄する際、取付ボルトとナット体との締結を解除するだけで、樹脂材と金属材とを分別することができる。しかし、取付ボルトとナット体との締緩操作時に、いずれか一方を回止め保持しつつ緩め操作、あるいは締め操作を行う必要があり、スタンド本体に対するクランプの着脱に手間を要する。
【０００６】
本発明は、スタンド本体が樹脂材からなるスタンドにおいて、スタンド本体からクランプや締結構造などの金属材を簡便に分離できるようにして、樹脂材と金属材との分別を手早く行えるようにし、しかも、クランプ着脱時に締結構造を回止め保持する手間を省いて、締結構造の締緩操作を素早くかつ容易に行えるようにすることを目的とする。
【課題を解決するための手段】
【０００７】
本発明は、差し渡されるガードパイプ２を保持固定してバリケードを構築するスタンドを対象とする。スタンド１は、樹脂材からなる偏平なスタンド本体６と、スタンド本体６に固定され、ガードパイプ２を保持するクランプ７と、スタンド本体６にクランプ７を締結固定する、取付ボルト８およびナット体９と、スタンド本体６の外面に着脱自在に装着される押え枠１０とを備える。スタンド本体６は、クランプ７を受止めるクランプ座１５と、スタンド本体６の厚み方向に貫通状、あるいは凹み状に形成されて、ナット体９が着脱自在に装着される断面矩形孔状のナット装着孔１８と、クランプ座１５からナット装着孔１８にわたって形成されて、取付ボルト８をナット装着孔１８に装着されたナット体９に螺合させるためのボルト挿通孔２３と、を備えている。そして、押え枠１０が、スタンド本体６の表裏面にそれぞれ密着する一対のカバー壁３３を含み、ナット装着孔１８に装着されたナット体９が、カバー壁３３で抜止め保持されるとともに、ナット装着孔１８の側壁２１・２２で回転不能に姿勢保持されるように構成されていることを特徴とする。
【０００８】
ナット体９は、雌ねじ孔２６を有するナット部材２７と、ナット部材２７の上部に一体に設けられる帯板状の水平壁からなる座金板２８とを備えている。スタンド本体６の厚み方向における座金板２８の長さ寸法はナット装着孔１８の孔深さ寸法と同じが、それより僅かに小さく設定されている。
【０００９】
座金板２８の対向辺部に、スタンド本体６の厚み方向に沿う一対の補強板２９が、座金板２８の対向辺部の各々から下向きに連設されている。
【００１０】
押え枠１０は、一対のカバー壁３３と、両カバー壁３３の上端どうしを連結する、水平壁からなるベース壁３４とを備えている。スタンド本体６にクランプ７が締結固定された状態において、ベース壁３４はクランプ７とクランプ座１５とで挟持されている。
【００１１】
カバー壁３３と正対するスタンド本体６の表裏面に、カバー壁３３の厚み寸法以上の深さの逃げ凹部３８が凹み形成されている。
【発明の効果】
【００１２】
本発明のバリケードのスタンド１においては、スタンド本体６の厚み方向に貫通状、あるいは凹み状に形成されたナット装着孔１８に装着されたナット体９が、スタンド本体６の外面に着脱自在に装着される押え枠１０のカバー壁３３で抜止め保持されるとともに、ナット装着孔１８の側壁２１・２２で回転不能に姿勢保持されるように構成した。こうしたスタンド１によれば、取付ボルト８を緩め操作してナット体９との締結状態を解除することでクランプ７が取外され、さらに押え枠１０を取外したうえでナット装着孔１８からナット体９を抜出すことで、スタンド本体６からクランプ７、ナット体９、および押え枠１０を分離できる。取付ボルト８の緩め操作は、ナット体９を回止め保持する必要もなく行うことができる。スタンド本体６へのクランプ７、ナット体９、および押え枠１０の取付けは逆の手順で行われるが、このときの取付ボルト８の締め操作の際にもナット体９を回止め保持する必要はない。以上により本発明のバリケードのスタンド１によれば、スタンド本体６からクランプ７、取付ボルト８、ナット体９などの金属材を簡便に分離できるので、樹脂材と金属材との分別を手早く行うことができ、しかもクランプ着脱時にナット体９を回止め保持する手間を省くことができるので、取付ボルト８の締緩操作を素早くかつ容易に行うことができる。
【００１３】
ナット体９が、雌ねじ孔２６を有するナット部材２７と、ナット部材２７の上部に一体に設けられる帯板状の座金板２８とを備えていると、ナット体９の締結座面の面積を拡大して座面圧を分散し、締結力によってスタンド本体６が圧壊するのを抑制できる。加えて、スタンド本体６の厚み方向における座金板２８の長さ寸法が、ナット装着孔１８の孔深さ寸法と同じが、それより僅かに小さく設定されていると、ナット体９の締結座面の面積を最大にして、スタンド本体６が圧壊するのをより抑制できる。また、座金板２８を利用してナット体９を抜止め保持できるので、別途抜止め保持する部材を設ける必要がない。さらにナット装着孔１８の開口部近傍に位置する座金板２８を利用してナット体９をナット装着孔１８から抜き出すことができるので、ナット体９の抜出し操作を容易化できる。
【００１４】
座金板２８の対向辺部に、ナット装着孔１８の孔深さ方向に沿う一対の補強板２９が下向きに連設されていると、取付ボルト８の締付けによる座金板２８の変形を抑制して、座金板２８で座面圧を的確に分散できる。
【００１５】
押え枠１０は、一対のカバー壁３３と、両カバー壁３３の上端どうしを連結する、水平壁からなるベース壁３４とを備えるものとし、スタンド本体６にクランプ７が締結固定された状態において、ベース壁３４がクランプ７とクランプ座１５とで挟持されるようにした。これによれば、押え枠１０でクランプ座１５周辺のスタンド本体６を囲み補強できるので、取付ボルト８の締結力によってスタンド本体６が圧壊するのをより抑制できる。スタンド１やガードパイプ２に作用する衝撃等によって、スタンド本体６から押え枠１０が不用意に分離されることを防止できる。
【００１６】
カバー壁３３と正対するスタンド本体６の表裏面に、カバー壁３３の厚み寸法以上の深さの逃げ凹部３８が凹み形成されていると、スタンド本体６のスタッキング時に、押え枠１０が邪魔になって、スタッキング姿勢が乱れるのを防止できるので、スタンド本体６を安定した状態でスタッキングできる。
【図面の簡単な説明】
【００１７】
【図１】本発明の実施例１に係るバリケードのスタンドの要部の縦断側面図である。
【図２】バリケードの斜視図である。
【図３】バリケードの正面図である。
【図４】締結構造を分解した状態を示す斜視図である。
【図５】バリケードスタンドの要部の縦断正面図である。
【図６】本発明の実施例２に係るバリケードのスタンドの要部の縦断側面図である。
【発明を実施するための形態】
【００１８】
（実施例１）  図１から図５に本発明に係るバリケードのスタンド（以下、単に「スタンド」と記す。）の実施例１を示す。本実施例における前後、左右、上下は、図１、図３、および図４に示す交差矢印と、矢印の近傍の前後、左右、上下の表記に従う。図２に示すように、スタンド１は少なくとも２個一組で使用されるものであり、所定間隔を置いて対向状に配置されて、両スタンド１・１間に差し渡されるガードパイプ２を保持固定することで、バリケードが構築される。
【００１９】
スタンド１は、樹脂材からなるスタンド本体６と、スタンド本体６に固定されてガードパイプ２を保持するクランプ７と、スタンド本体６にクランプ７を締結する取付ボルト８およびナット体９からなる締結構造と、スタンド本体６の外面に装着される押え枠１０とを備えている。各スタンド１には、上下２ヶ所にクランプ７が締結固定されている。ガードパイプ２は市販の単管と称されるものであり、クランプ７は市販の単管クランプと称されるものである。
【００２０】
スタンド本体６は前後方向に厚みを持つ偏平な板状体であり、ブロー成形により製造される、ポリエチレンやポリプロピレン等の樹脂製の中空一体成形品からなる。スタンド本体６は正面視において、縦長二等辺三角形の各頂点部分を切除した形状を呈しており、下辺部に凹みを設けて２個の脚１３が形成されている。また、スタンド本体６の上下中央のやや下寄りには前後方向に貫通する中開口１４が開設されている。スタンド本体６を構成する上端壁、および中開口１４を構成する下壁がクランプ７を受止め支持するクランプ座１５とされており、スタンド本体６の上端および中開口１４にクランプ７が配置される。クランプ７はクランプ座１５に受止められた状態で、ナット体９にねじ込まれた六角ボルトからなる取付ボルト８でスタンド本体６に締結固定される。
【００２１】
クランプ座１５の下方にはナット装着孔１８が形成されており、該ナット装着孔１８にナット体９が着脱自在に装着される。ナット装着孔１８は、スタンド本体６を前後方向（厚み方向）に貫通する横長長方形状（矩形状）の貫通孔からなり、スタンド本体６の前後壁に連続する、上下壁１９・２０および左右壁（側壁）２１・２２で画成されている。スタンド本体６には、クランプ座１５からナット装着孔１８にわたって取付ボルト８が挿通されるボルト挿通孔２３が開設されている。
【００２２】
ナット体９は、雌ねじ孔２６を有する六角ナット（ナット部材）２７と、該六角ナット２７の上部に一体に帯板状の水平壁からなる座金板２８とを備えている。さらにナット体９は、座金板２８の左右辺部（対向辺部）に下向きに連設される補強板２９を備えている。座金板２８および一対の補強板２９は一体に構成されて、断面コ字状のチャンネル材状に形成されており、長方形に切断加工されためっき鋼板に曲げ加工を施して形成される。六角ナット２７と座金板２８および補強板２９とは、溶接により一体的に構成される。六角ナット２７は座金板２８の前後中央部に溶接されており、六角ナット２７の雌ねじ孔２６が正対する座金板２８には、取付ボルト８が挿通されるボルト挿通孔３０が開設されている。
【００２３】
座金板２８および補強板２９の前後方向（スタンド本体６の厚み方向）の寸法は、ナット装着孔１８の孔深さ寸法と同じが、それより僅かに小さく設定される。本実施例では、座金板２８および補強板２９の前後方向の寸法は、ナット装着孔１８の深さ寸法よりも僅かに小さく形成した。両補強板２９の高さ寸法は同一であり、座金板２８の下面から補強板２９の下面までの寸法は六角ナット２７の高さ寸法と一致している。両補強板２９の内法寸法は、六角ナット２７の二面幅の寸法と略一致している。先のナット装着孔１８の上下寸法はナット体９の上下寸法と略一致しており、左右寸法はナット体９の左右寸法と略一致している。
【００２４】
押え枠１０は、垂直壁からなる前後一対のカバー壁３３と、該一対のカバー壁３３の上端どうしを連結する、水平壁からなるベース壁３４とを備える。一対のカバー壁３３およびベース壁３４は一体に構成されており、ベース壁３４の中央には取付ボルト８が挿通されるボルト挿通孔３５が開設されている。押え枠１０は長方形に切断加工されためっき鋼板に曲げ加工を施して形成される。一対のカバー壁３３の上下寸法は同一に形成されている。押え枠１０はスタンド本体６に対して、ベース壁３４がクランプ座１５と密着し、各カバー壁３３がクランプ座１５に連続するスタンド本体６の前後面（表裏面）と密着するように外嵌装着される。押え枠１０がスタンド本体６に外嵌装着された状態において、ベース壁３４がクランプ座１５に密着しており、さらに各カバー壁３３がスタンド本体６の前後面（表裏面）に密着している。
【００２５】
カバー壁３３に正対するスタンド本体６の前後面（表裏面）には、カバー壁３３の厚み寸法と略同一深さの逃げ凹部３８が凹み形成されている。該逃げ凹部３８により、カバー壁３３の外表面とスタンド本体６の前面および後面は面一状になっている。先のナット装着孔１８は、逃げ凹部３８の下端寄りに形成されており、スタンド本体６に外嵌装着された押え枠１０の両カバー壁３３はナット装着孔１８の開口部を塞いでいる。
【００２６】
ナット体９をスタンド本体６の前面あるいは後面側からナット装着孔１８に差込み装着し、この状態で押え枠１０を上方からスタンド本体６に外嵌装着することにより、ナット体９は、その座金板２８の前後端が一対の押え枠１０で受止められて前後方向に抜止め保持され、従って、スタンド本体６に分離不能に一体的に固定される。さらに、ナット体９は、同装着孔１８の側壁、すなわち左右壁２１・２２で回転不能に姿勢保持され、同装着孔１８の上下壁１９・２０で上下移動不能に保持される。本実施例においては、ナット装着孔１８を、スタンド本体６を厚み方向に貫通する状態で設けたので、スタンド本体６の前後面のいずれからでもナット装着孔１８にナット体９を簡便に着脱できる。
【００２７】
クランプ７には、その座壁４１にボルト挿通孔４２が形成されている。取付ボルト８のねじ軸４３を各ボルト挿通孔４２・３５・２３・３０に順に挿通したのち、六角ナット２７の雌ねじ孔２６にねじ込むことにより、クランプ７は、その座壁４１とクランプ座１５との間に押え枠１０のベース壁３４が介在する状態でスタンド本体６に締結固定される。このとき、ナット体９は回止め保持する必要がない。スタンド本体６にクランプ７が締結固定されているスタンド１においては、押え枠１０のベース壁３４がクランプ７の座壁４１とクランプ座１５との間で挟持されて、押え枠１０はスタンド本体６と一体的に固定される。なお、ねじ軸４３は、スタンド本体６にクランプ７を締結固定したとき、ねじ軸４３の先端が、六角ナット２７の下側に突出しない程度の長さ寸法に設定されている。
【００２８】
スタンド１を廃棄する場合には、取付ボルト８を緩め操作してナット体９との締結状態を解除することでクランプ７が取外され、さらに押え枠１０を取外したうえでナット装着孔１８からナット体９を抜出すことで、スタンド本体６からクランプ７、取付ボルト８、ナット体９、および押え枠１０を分離できる。取付ボルト８の緩め操作は、ナット体９を回止め保持する必要もなく行うことができる。以上により本実施例のバリケードのスタンド１によれば、樹脂材からなるスタンド本体６から、金属材からなるクランプ７、取付ボルト８、ナット体９、押え枠１０を簡便に分離できるので、樹脂材と金属材との分別を手早く行うことができ、しかもクランプ着脱時にナット体９を回止め保持する手間を省くことができるので、取付ボルト８の締緩操作を素早くかつ容易に行うことができる。
【００２９】
ナット体９を、雌ねじ孔２６を有する六角ナット２７と、六角ナット２７の上部に一体に設けられる帯板状の座金板２８とを備えるものとしたので、ナット体９の締結座面の面積を拡大して座面圧を分散し、締結力によってスタンド本体６が圧壊するのを抑制できる。加えて、スタンド本体６の厚み方向における座金板２８の長さ寸法をナット装着孔１８の孔深さ寸法と同じに設定したので、ナット体９の締結座面の面積を最大にして、スタンド本体６が圧壊するのをより抑制できる。また、座金板２８を利用してナット体９を抜止め保持できるので、別途抜止め保持する部材を設ける必要がない。さらにナット装着孔１８の開口部近傍に位置する座金板２８を利用してナット体９をナット装着孔１８から抜き出すことができるので、ナット体９の抜出し操作を容易化できる。
【００３０】
座金板２８の対向辺部に、ナット装着孔１８の孔深さ方向に沿う一対の補強板２９を下向きに連設したので、取付ボルト８の締付けによる座金板２８の変形を抑制して、座金板２８で座面圧を的確に分散できる。
【００３１】
スタンド本体６にクランプ７が締結固定された状態において、ベース壁３４をクランプ７とクランプ座１５とで挟持するようにしたので、押え枠１０でクランプ座１５周辺のスタンド本体６を囲み補強でき、取付ボルト８の締結力によってスタンド本体６が圧壊するのをより抑制できる。スタンド１やガードパイプ２に作用する衝撃等によって、スタンド本体６から押え枠１０が不用意に分離されることを防止できる。
【００３２】
カバー壁３３と正対するスタンド本体６の表裏面に、カバー壁３３の厚み寸法以上の深さの逃げ凹部３８を凹み形成したので、スタンド本体６のスタッキング時に、押え枠１０が邪魔になって、スタッキング姿勢が乱れるのを防止でき、スタンド本体６を安定した状態でスタッキングできる。
【００３３】
（実施例２）  図６は本発明に係るバリケードのスタンドの実施例２を示している。本実施例のナット装着孔１８は、その前後方向中途部に縦壁４６が設けられて、スタンド本体６の前面から後方に向かって凹み形成される凹入部とした点が先の実施例１と異なる。これに伴い、ナット装着孔１８の後側の開口部を塞ぐ必要がない分、後側のカバー壁３３と逃げ凹部３８の上下寸法が小さく形成されている。ナット体９の座金板２８および補強板２９の長さ寸法は、ナット装着孔１８の凹み深さよりも僅かに小さく設定されている。他は上記実施例と同じであるので、同じ部材に同じ符号を付してその説明を省略する。このように、ナット装着孔１８は貫通状に限らず、凹み状であってもよい。
【００３４】
上記の実施例では、上下平行状に差し渡された２本のガードパイプ２を保持固定する形態のスタンド１を示したが、保持固定するガードパイプ２の本数は、２本に限定されるものではない。スタンド本体６の正面視形状は、本実施例の形状に限定されるものではない。
【符号の説明】
【００３５】
１  スタンド
２  ガードパイプ
６  スタンド本体
７  クランプ
８  取付ボルト
９  ナット体
１０  押え枠
１５  クランプ座
１８  ナット装着孔
２１  側壁（左壁）
２２  側壁（右壁）
２３  ボルト挿通孔
２６  雌ねじ孔
２７  ナット部材（六角ナット）
２８  座金板
２９  補強板
３３  カバー壁
３４  ベース壁
３８  逃げ凹部
【要約】
【課題】スタンド本体が樹脂材からなるスタンドにおいて、樹脂材と金属材との分別を手早く行えるようにし、しかも、締結構造の締緩操作を素早くかつ容易に行えるようにする。
【解決手段】差し渡されるガードパイプ２を保持固定してバリケードを構築するスタンドを対象とする。スタンド１はスタンド本体６と、クランプ７と、取付ボルト８およびナット体９と、着脱自在な押え枠１０とを備える。スタンド本体６は、クランプ座１５と、スタンド本体６の厚み方向に貫通状、あるいは凹み状に形成されて、ナット体９が着脱自在に装着されるナット装着孔１８と、取付ボルト８用のボルト挿通孔２３とを備えるものとする。押え枠１０は、スタンド本体６の表裏面にそれぞれ密着する一対のカバー壁３３を含み、ナット装着孔１８に装着されたナット体９を、カバー壁３３で抜止め保持するとともに、ナット装着孔１８の側壁２１・２２で回転不能に姿勢保持するように構成する。
【選択図】図１【図１】
0006844795.tif 000002
【図２】
0006844795.tif 000003
【図３】
0006844795.tif 000004
【図４】
0006844795.tif 000005
【図５】
0006844795.tif 000006
【図６】
0006844795.tif 000007